(57)【要約】      （修正有）【課題】周辺帯片及び帯片をネットの周辺及び周辺内に設け、この周辺帯片及び帯片に鳥獣忌避剤を混入する構成の鳥獣対策ネットでなる忌避用具を提供する。【解決手段】黄色の合成樹脂繊維を数本撚り合せたネット撚糸と、黄色の合成樹脂繊維に鳥獣忌避剤を添加したネット撚糸を、網状に編成し、黄色で、かつ忌避剤が添加されたネットを構成し、この黄色で、かつ忌避剤が添加されたネットの周辺に、黄色で、かつ忌避剤が添加された周辺帯片を設け、また、この黄色で、かつ忌避剤が添加されたネットの中に差渡すように、黄色で、かつ忌避剤が添加された帯片を複数本設けた鳥獣忌避ネットでなる忌避用具。【選択図】図１
0003143875.tif 000002
【実用新案登録請求の範囲】
【請求項１】
黄色の合成樹脂繊維を数本撚り合せたネット撚糸と、黄色の合成樹脂繊維に鳥獣忌避剤を添加したネット撚糸を、網状に編成し、黄色で、かつ忌避剤が添加されたネットを構成し、
この黄色で、かつ忌避剤が添加されたネットの周辺に、黄色で、かつ忌避剤が添加された周辺帯片を設け、
また、この黄色で、かつ忌避剤が添加されたネットの中に差渡すように、黄色で、かつ忌避剤が添加された帯片を複数本設けた鳥獣忌避ネットでなる忌避用具。
【請求項２】
請求項１に記載の鳥獣忌避ネットでなる忌避用具であって、
前記周辺帯片に、黄色で、かつ忌避剤が添加された紐を挿通し、この紐の端を、前記ネットの外に設けた鳥獣忌避ネットでなる忌避用具。
【請求項３】
黄色の合成樹脂フィルムでなる袋本体の周辺に、黄色で、かつ忌避剤が添加された周辺帯片を設け、
また、この黄色の合成樹脂フィルムでなる袋本体の中に差渡すように、黄色で、かつ忌避剤が添加された帯片を複数本設けた鳥獣忌避ごみ袋でなる忌避用具。
【請求項４】
請求項３に記載の鳥獣忌避ごみ袋でなる忌避用具であって、
前記周辺帯片と、帯片を、印刷（プリント）で設けた鳥獣忌避ごみ袋でなる忌避用具。
【考案の詳細な説明】
【技術分野】
【０００１】
本考案は、ごみを目当てにごみ収集所に集まるカラスやネコ、イヌ等（以下、「鳥獣」とする。）が寄りつかないようにする鳥獣忌避ネットでなる忌避用具、鳥獣忌避ごみ袋でなる忌避用具に関する。
【背景技術】
【０００２】
各家庭において日常的に出るごみは、所定のごみ袋に入れ、所定のごみ収集所に集められるが、鳥獣がごみ袋を漁ると、周辺にごみが散乱し、また、悪臭が蔓延するため、周辺環境が悪化し、周辺住民にとっては非常に大きな問題となる。
【０００３】
したがって、鳥獣対策を採る必要があるが、この鳥獣対策について記載された特許文献１、特許文献２、特許文献３があるので、以下順に説明する。
【０００４】
まず、特許文献１は、「カラス避けネット」である（特開２００６−１１５８００）。この発明は、複数の合成樹脂繊維を撚り合わせて形成された繊維束によって編織されたカラス避けネットで、忌避剤入り合成繊維を含む繊維束でネットを形成し、カラス忌避剤入りの合成樹脂繊維を黒色に、カラス忌避剤を含まない合成樹脂繊維をカラスの色盲色である黄色系の色で構成するネットである。
【０００５】
次に、特許文献２は、「鳥害対策用フィルム及びごみ袋」である（特開２００７−１６１４１２）。この発明は、全光線透過率が３５％以上、ヘイズ２５％以上であって、４００〜５５０ｎｍの波長域に２０％以上の反射ピークを有し、且つ５５０〜７００ｎｍの波長領域における平均光線透過率が４０％以下であることを特徴とする鳥害対策用フィルム及びごみ袋である。
【０００６】
そして、特許文献３は、「銅イオン等、金属イオン水を基盤とする害鳥獣類忌避剤。銅イオン等、金属イオンを含有する形成体による害鳥獣類忌避器剤。」である（特開２００５−１９８６３０）。この発明は、害鳥獣類に忌避性がある銅イオン等、金属イオン水を、噴射用圧縮ガスと共にスプレー用容器に封入したスプレーで、この忌避剤を対象物に散布して害鳥獣類を忌避することができる害鳥獣類忌避剤である。
【０００７】
【特許文献１】特開２００６−１１５８００
【特許文献２】特開２００７−１６１４１２
【特許文献３】特開２００５−１９８６３０
【考案の開示】
【考案が解決しようとする課題】
【０００８】
しかし、特許文献１は、ネットを形成する合成樹脂繊維に、カラス忌避剤を入れて製造される構成であるため、周辺帯片及び帯片をネットの周辺及び周辺内に設け、この周辺帯片及び帯片に鳥獣忌避剤を混入する構成の本考案とは相違する。
【０００９】
また、特許文献２は、鳥害対策用フィルム及びごみ袋の全光線透過率を調整して、ごみ袋の収容物をカラスから視認不可能とする構成であり、鳥獣忌避剤を介することによって鳥獣からの被害を防止する本考案の構成とは相違する。
【００１０】
さらに、特許文献３は、害鳥獣類に忌避性がある銅イオン等、金属イオン等の鳥獣忌避剤を対象物に散布して害鳥獣類を忌避する構成のものであるため、ネットやゴミ袋に予め鳥獣忌避剤を設ける本考案の構成とは相違する。
【課題を解決するための手段】
【００１１】
請求項１の考案は、ネット、周辺帯片及び帯片に忌避剤が添加されているため、嗅覚による威嚇効果を得ることができる。また、ネット、周辺帯片及び帯片が黄色であるため、ネット全体を見え難くして主にカラスが群がることの防止効果を提供することを意図する。
【００１２】
そして、ネット、周辺帯片及び帯片への忌避剤の添加と、ネット、周辺帯片及び帯片を黄色としたことによる相乗効果により、本考案特有の有益な効果を奏する。
【００１３】
請求項１は、黄色の合成樹脂繊維を数本撚り合せたネット撚糸と、黄色の合成樹脂繊維に鳥獣忌避剤を添加したネット撚糸を、網状に編成し、黄色で、かつ忌避剤が添加されたネットを構成し、
この黄色で、かつ忌避剤が添加されたネットの周辺に、黄色で、かつ忌避剤が添加された周辺帯片を設け、
また、この黄色で、かつ忌避剤が添加されたネットの中に差渡すように、黄色で、かつ忌避剤が添加された帯片を複数本設けた鳥獣忌避ネットでなる忌避用具である。
【００１４】
請求項２の考案は、紐を、例えば、固定具に係止することにより鳥獣忌避ネットを固定することができる。また、ネット、周辺帯片及び帯片への忌避剤の添加と、ネット、周辺帯片及び帯片を黄色としたこと、さらに、紐への忌避剤の添加や黄色としたことによる相乗効果により、本考案特有の有益な効果を提供することを意図する。
【００１５】
請求項２は、請求項１に記載の鳥獣忌避ネットでなる忌避用具であって、
前記周辺帯片に、黄色で、かつ忌避剤が添加された紐を挿通し、この紐の端を、前記ネットの外に設けた鳥獣忌避ネットでなる忌避用具である。
【００１６】
請求項３の考案は、袋本体、周辺帯片及び帯片に忌避剤が添加されているため、嗅覚による威嚇効果を得ることができる。また、袋本体、周辺帯片及び帯片が黄色であるため、視覚による威嚇効果により、特にカラスに対して視覚による威嚇効果が得られ、主にカラスが群がることを防止する効果が増大する。
【００１７】
そして、袋本体、周辺帯片及び帯片への忌避剤の添加と、袋本体、周辺帯片及び帯片を黄色としたことによる相乗効果により、本考案特有の有益な効果を提供することを意図する。
【００１８】
請求項３は、黄色の合成樹脂フィルムでなる袋本体の周辺に、黄色で、かつ忌避剤が添加された周辺帯片を設け、
また、この黄色の合成樹脂フィルムでなる袋本体の中に差渡すように、黄色で、かつ忌避剤が添加された帯片を複数本設けた鳥獣忌避ごみ袋でなる忌避用具である。
【００１９】
請求項４の考案は、完成した袋本体に周辺帯片及び帯片を印刷（プリント）するため、簡単、かつ、安価に製造することが可能である。
【００２０】
請求項４は、請求項３に記載の鳥獣忌避ごみ袋でなる忌避用具であって、
前記周辺帯片と、帯片を、印刷（プリント）で設けた鳥獣忌避ごみ袋でなる忌避用具である。
【考案の効果】
【００２１】
請求項１の考案は、ネット、周辺帯片及び帯片に忌避剤が添加されているため、嗅覚による威嚇効果を得ることができる。また、ネット、周辺帯片及び帯片が黄色であるため、ネット全体を見え難くして主にカラスが群がることを防止する効果を提供できる利点がある。
【００２２】
そして、ネット、周辺帯片及び帯片への忌避剤の添加と、ネット、周辺帯片及び帯片を黄色としたことによる相乗効果により、本考案特有の有益な効果を奏する。
【００２３】
したがって、請求項１は、黄色の合成樹脂繊維を数本撚り合せたネット撚糸と、黄色の合成樹脂繊維に鳥獣忌避剤を添加したネット撚糸を、網状に編成し、黄色で、かつ忌避剤が添加されたネットを構成し、
黄色で、かつ忌避剤が添加されたネットの周辺に、黄色で、かつ忌避剤が添加された周辺帯片を設け、
また、黄色で、かつ忌避剤が添加されたネットの中に差渡すように、黄色で、かつ忌避剤が添加された帯片を複数本設けた鳥獣忌避ネットでなる忌避用具である。
【００２４】
請求項２の考案は、紐を、例えば、固定具に係止することにより鳥獣忌避ネットを固定することができる。また、ネット、周辺帯片及び帯片への忌避剤の添加と、ネット、周辺帯片及び帯片を黄色としたこと、さらに、紐への忌避剤の添加や黄色としたことによる相乗効果により、本考案特有の有益な効果を提供できる利点がある。
【００２５】
したがって、請求項２は、請求項１に記載の鳥獣忌避ネットでなる忌避用具であって、
周辺帯片に、黄色で、かつ忌避剤が添加された紐を挿通し、紐の端を、ネットの外に設けた鳥獣忌避ネットでなる忌避用具である。
【００２６】
請求項３の考案は、袋本体、周辺帯片及び帯片に忌避剤が添加されているため、嗅覚による威嚇効果を得ることができる。また、袋本体、周辺帯片及び帯片が黄色であるため、視覚による威嚇効果により、特にカラスに対して視覚による威嚇効果が得られ、主にカラスが群がることを防止する効果が増大する。
【００２７】
そして、袋本体、周辺帯片及び帯片への忌避剤の添加と、袋本体、周辺帯片及び帯片を黄色としたことによる相乗効果により、本考案特有の有益な効果を提供できる利点がある。
【００２８】
したがって、請求項３は、黄色の合成樹脂フィルムでなる袋本体の周辺に、黄色で、かつ忌避剤が添加された周辺帯片を設け、
また、黄色の合成樹脂フィルムでなる袋本体の中に差渡すように、黄色で、かつ忌避剤が添加された帯片を複数本設けた鳥獣忌避ごみ袋でなる忌避用具である。
【００２９】
請求項４の考案は、完成した袋本体に周辺帯片及び帯片を印刷（プリント）するため、簡単、かつ、安価に製造できる利点がある。
【００３０】
したがって、請求項４は、請求項３に記載の鳥獣忌避ごみ袋でなる忌避用具であって、
周辺帯片と、帯片を、印刷（プリント）で設けた鳥獣忌避ごみ袋でなる忌避用具である。
【考案を実施するための最良の形態】
【００３１】
次に、本考案の実施形態に係るカラス避けネットを図面に基づいて説明する。図１は、鳥獣忌避ネットの平面図、図２は、周辺帯片に紐を挿通した鳥獣忌避ネットの一部欠截平面図、図３は、鳥獣忌避ネットで池を覆い被せた状態の使用状態の参考図、図４は、鳥獣忌避ごみ袋の平面図、図５は、鳥獣忌避ネットを鳥獣忌避ごみ袋に覆い被せた使用状態の参考図である。
【００３２】
鳥獣忌避ネット１を構成する部材としては、主に、ネット２と、周辺帯片５、帯片６と、紐７である。
【００３３】
先ず、ネット２は、黄色の合成樹脂繊維を数本撚り合せたネット撚糸２ａと、黄色の合成樹脂繊維の撚糸に鳥獣忌避剤を添加したネット撚糸２ｂを網状に編成する。このように黄色の合成樹脂繊維を数本撚り合せたネット撚糸２ａと、黄色の合成樹脂繊維の撚糸に鳥獣忌避剤を添加したネット撚糸２ｂを結節することによって、黄色で、かつ忌避剤が添加されたネット２が構成される。そして、この結節を介して、丈夫でネット２の隙間が均等になる。
【００３４】
また、黄色で、かつ忌避剤が添加された周辺帯片５を、黄色で、かつ忌避剤が添加されたネット２の周辺３に設ける。
【００３５】
さらに、黄色で、かつ忌避剤が添加された帯片６を、黄色で、かつ忌避剤が添加されたネット２の中に複数本設ける。この帯片６は、図１のように、十字状に設ける他、図示しないが、クロス状に設けることも可能である。すなわち、鳥獣に対して本考案の効果があれば、縦方向、横方向、斜め方向等の方向に設ける構成でもよい。
【００３６】
そして、黄色で、かつ忌避剤が添加された紐７を周辺帯片５に挿通させ、この紐７の端７ａを、ネット２の外に設ける。そして、紐７を、例えば、ごみ収集所２３に設けた固定具に係止して、鳥獣忌避ネット１を固定することにより、鳥獣の被害を防止することが可能である。また、さらに、この紐７に錘を入れると、鳥獣忌避ネット１の固定に有効である。
【００３７】
これらの周辺帯片５及び帯片６、紐７に混入されている忌避剤の具体的な成分としては、例えば、唐辛子の成分であるカプサイシンやわさび等が考えられる。また、その他、銅イオン、金属イオン等の素剤を添付することも可能である。
【００３８】
本考案の鳥獣忌避ネット１は、ごみ収集所２３で鳥獣からの被害を防止することを主体とする。しかし、その他の適用として、図３のように、池２１、養魚場等を鳥獣忌避ネット１で覆うことによって、鳥獣から魚２０が食い荒らされることを防止することも可能である。この場合、図示しない錘入り紐や固定具等を使用することにより、鳥獣忌避ネット１内への鳥獣の侵入を防止することが可能である。
【００３９】
鳥獣忌避ごみ袋１０の袋本体１０ａは、黄色の合成樹脂フィルムでなる。この袋本体１０ａは、従来の製造装置によって製造できるため、安価に製造することが可能である。
【００４０】
そして、黄色で、かつ忌避剤が添加された周辺帯片１５を袋本体１０ａの周辺１１に設ける。
【００４１】
また、黄色で、かつ忌避剤が添加された帯片１６を、黄色の合成樹脂フィルムでなる袋本体１０ａの中に差渡すように複数本設ける。この帯片１６は、図４のように、袋本体１０ａの中心で長手方向に設ける他、図示しないが、幅方向に設けることや、長手方向及び幅方向の十字状、クロス状に設けることも可能である。また帯片１６を複数本設けることも可能である。すなわち、鳥獣に対して本考案の効果があれば、縦方向、横方向、斜め方向等の方向に設ける構成でもよい。
【００４２】
これら周辺帯片１５と帯片１６は、印刷（プリント）することによって設ける。
【００４３】
そして、この周辺帯片１５と帯片１６に混入した忌避剤の具体的な成分は、既述した鳥獣忌避ネット１のネット２、周辺帯片５及び帯片６の忌避剤の成分と同様である。
【００４４】
鳥獣忌避ごみ袋１０単体でも鳥獣に対して十分な効果がある。しかし、図３のように鳥獣忌避ごみ袋１０を鳥獣忌避ネット１で覆うと、鳥獣忌避ごみ袋１０と鳥獣忌避ネット１の相乗効果を奏する。
【図面の簡単な説明】
【００４５】
【図１】鳥獣忌避ネットの平面図
【図２】周辺帯片に紐を挿通した鳥獣忌避ネットの一部欠截平面図
【図３】鳥獣忌避ネットで池を覆い被せた状態の参考図
【図４】鳥獣忌避ごみ袋の平面図
【図５】鳥獣忌避ネットを鳥獣忌避ごみ袋に覆い被せた使用状態の参考図
【符号の説明】
【００４６】
１          鳥獣忌避ネット
２          ネット
２ａ        黄色の合成樹脂繊維を数本撚り合せたネット撚糸
２ｂ        黄色の合成樹脂繊維の撚糸に鳥獣忌避剤を添加したネット撚糸
３          周辺
５          周辺帯片
６          帯片
７          紐
７ａ        端
１０        鳥獣忌避ごみ袋
１０ａ      袋本体
１１        周辺
１５        周辺帯片
１６        帯片
２０        魚
２１        池
２３      ごみ収集所
【図１】
0003143875.tif 000003
【図２】
0003143875.tif 000004
【図３】
0003143875.tif 000005
【図４】
0003143875.tif 000006
【図５】
0003143875.tif 000007